(57)【要約】【課題】音質の歪みを低減して、高品質な音質とすることのできるスピーカ用フレームを提供する。【解決手段】スピーカ用フレーム１００は、スピーカを構成する振動板のエッジが、前面１aに取り付けられる枠状のエッジ取付部１と、エッジ取付部１の枠状内でエッジ取付部１に対して後方に配置されて、振動板と接続されたボイスコイルを振動させるための磁気回路が取り付けられる磁気回路取付部２と、エッジ取付部１と磁気回路取付部２との間に架設され、エッジ取付部１と磁気回路取付部２とを連結する脚部３と、を備える。脚部３は、エッジ取付部１と磁気回路取付部２との架設方向に対して垂直な面で切断した際の切断面において、前側に突出する先端部を有する。【選択図】図１
2008289076.tif 000002
【特許請求の範囲】
【請求項１】
スピーカを構成する振動板のエッジが、前面に取り付けられる枠状のエッジ取付部と、
前記エッジ取付部の枠状内で前記エッジ取付部に対して後方に配置されて、前記振動板と接続されたボイスコイルを振動させるための磁気回路が取り付けられる磁気回路取付部と、
前記エッジ取付部と前記磁気回路取付部との間に架設され、前記エッジ取付部と前記磁気回路取付部とを連結する脚部と、を備えたスピーカ用フレームにおいて、
前記脚部は、前記エッジ取付部と前記磁気回路取付部との架設方向に対して垂直な面で切断した際の切断面において、前側に突出する先端部を有することを特徴とするスピーカ用フレーム。
【請求項２】
前記脚部の前記先端部は、尖った形状であることを特徴とする請求項１に記載のスピーカ用フレーム。
【請求項３】
前記脚部の前記切断面は、三角形状であることを特徴とする請求項１に記載のスピーカ用フレーム。
【請求項４】
前記脚部の前記切断面は、半円形状であることを特徴とする請求項１に記載のスピーカ用フレーム。
【請求項５】
前記脚部が、内部に空洞を有する中空体であることを特徴とする請求項１〜４のいずれか一項に記載のスピーカ用フレーム。
【請求項６】
前記空洞内に弾性部材が挿入されていることを特徴とする請求項５に記載のスピーカ用フレーム。
【請求項７】
前記脚部を形成するための板状部が、前記エッジ取付部と前記磁気回路取付部との間に
架設され、前記エッジ取付部と前記磁気回路取付部とを連結するように設けられ、
前記板状部の周方向に互いに対向する左右側縁部を前側に折り曲げて互いに当接させることによって、前記脚部が形成されることを特徴とする請求項１〜６のいずれか一項に記載のスピーカ用フレーム。
【請求項８】
前記板状部に、前記左右側縁部を前側に折り曲げ自在とする複数の穴が前記折り曲げ方向に沿って形成されていることを特徴とする請求項７に記載のスピーカ用フレーム。
【発明の詳細な説明】
【技術分野】
【０００１】
本発明は、スピーカ用フレームに関する。
【背景技術】
【０００２】
従来より、金属板プレス成形によるスピーカ用フレームは、例えば図６、図７及び特許文献１に示すように、後ろ側に向けて中央部が窪んだ形状となっており、スピーカ用フレーム４００の開口部のための窓穴４０１，４０１、…を抜き落とすことによって複数の脚部４０２，４０２、…を形成している。このような脚部４０２は、図６に示すようにスピーカ用フレーム４００の前側（振動板が取り付けられる側）から見た際にその前面４０２aが略平面となるように形成されている。なお、図６はスピーカ用フレーム４００を前側から見た際の斜視図、図７はスピーカ用フレーム４００を後ろ側から見た際の斜視図である。
【特許文献１】特開平８−７０４９５号公報
【発明の開示】
【発明が解決しようとする課題】
【０００３】
ところで、上述したような前面が平らな脚部を備えたスピーカ用フレームは構造強度的には考慮されているものの、スピーカ動作時の空気の流れを受けとめる量が多いため、空気抵抗が増え、スピーカのスムーズな動作の妨げになる。その結果、音質的には歪んだ音となり易い。
本発明は、上記事情に鑑みてなされたもので、音質の歪みを低減して、高品質な音質とすることのできるスピーカ用フレームを提供することを目的としている。
【課題を解決するための手段】
【０００４】
上記課題を解決するため、請求項１の発明は、スピーカを構成する振動板のエッジが、前面に取り付けられる枠状のエッジ取付部と、
前記エッジ取付部の枠状内で前記エッジ取付部に対して後方に配置されて、前記振動板と接続されたボイスコイルを振動させるための磁気回路が取り付けられる磁気回路取付部と、
前記エッジ取付部と前記磁気回路取付部との間に架設され、前記エッジ取付部と前記磁気回路取付部とを連結する脚部と、を備えたスピーカ用フレームにおいて、
前記脚部は、前記エッジ取付部と前記磁気回路取付部との架設方向に対して垂直な面で切断した際の切断面において、前側に突出する先端部を有することを特徴とする。
【０００５】
請求項２の発明は、請求項１に記載のスピーカ用フレームにおいて、
前記脚部の前記先端部は、尖った形状であることを特徴とする。
【０００６】
請求項３の発明は、請求項１に記載のスピーカ用フレームにおいて、
前記脚部の前記切断面は、三角形状であることを特徴とする。
【０００７】
請求項４の発明は、請求項１に記載のスピーカ用フレームにおいて、
前記脚部の前記切断面は、半円形状であることを特徴とする。
【０００８】
請求項５の発明は、請求項１〜４のいずれか一項に記載のスピーカ用フレームにおいて、
前記脚部が、内部に空洞を有する中空体であることを特徴とする。
【０００９】
請求項６の発明は、請求項５に記載のスピーカ用フレームにおいて、
前記空洞内に弾性部材が挿入されていることを特徴とする。
【００１０】
請求項７の発明は、請求項１〜６のいずれか一項に記載のスピーカ用フレームにおいて、
前記脚部を形成するための板状部が、前記エッジ取付部と前記磁気回路取付部との間に
架設され、前記エッジ取付部と前記磁気回路取付部とを連結するように設けられ、
前記板状部の周方向に互いに対向する左右側縁部を前側に折り曲げて互いに当接させることによって、前記脚部が形成されることを特徴とする。
【００１１】
請求項８の発明は、請求項７に記載のスピーカ用フレームにおいて、
前記板状部に、前記左右側縁部を前側に折り曲げ自在とする複数の穴が前記折り曲げ方向に沿って形成されていることを特徴とする。
【発明の効果】
【００１２】
本発明によれば、脚部は、エッジ取付部と磁気回路取付部との架設方向に対して垂直な面で切断した際の切断面において、前側に突出する先端部を有するので、スピーカ動作時における空気抵抗を減らすことができる。その結果、音質上の歪みを低減して高品質な音質とすることができる。
【発明を実施するための最良の形態】
【００１３】
以下、本発明の実施の形態について説明する。
図１は、スピーカ用フレーム１００を前側から見た際の斜視図である。なお、以下の説明において、前後方向とは図１中に示す方向を言うものとする。
スピーカ用フレーム１００は、コーン型振動板（図示しない）を使用したスピーカに用いられるもので、鉄板、アルミニウム板、ステンレス板、銅板等によりプレス形成されている。スピーカ用フレーム１００は、振動板のエッジが取り付けられるエッジ取付部１と、磁気回路（図示しない）が取り付けられる磁気回路取付部２と、エッジ取付部１と磁気回路取付部２とを連結する複数の脚部３，３、…と、を備えている。
【００１４】
エッジ取付部１は、略円環状のプレートにより構成され、エッジ取付部１の内周縁１aには後ろ側に向けて折り曲げられた折り曲げ部１１が形成されている。エッジ取付部１の外周縁１bには前側に向けて折り曲げられた折り曲げ部１２が形成されている。そして、エッジ取付部１１の前面１cに当接して振動板のエッジが取り付けられるようになっている。
【００１５】
磁気回路取付部２も略円環状のプレートにより構成され、エッジ取付部１の内径より小さい外径を有している。磁気回路取付部２は、エッジ取付部１と中心軸が一致するようにエッジ取付部１の円環状の内部で後方に配置されている。すなわち、磁気回路取付部２がエッジ取付部１に対して後方に窪んだ形状となっている。磁気回路取付部２は、その前面２aに座ぐり２１が形成されており、座ぐり２１の後面２１a（図２参照）に磁気回路が取り付けられるようになっている。また、座ぐり２１の中央部にはボイスコイル（図示しない）を通すための開口２２が形成されており、磁気回路取付部２の外周縁２bには、前側に向けて折り曲げられた折り曲げ部２３が形成されている。
【００１６】
エッジ取付部１と磁気回路取付部２との間には、直線状に延在する複数（本実施形態では４つ）の脚部３，３、…が架設されている。脚部３は、エッジ取付部１と磁気回路取付部２との間に架設される平面視略矩形状の第一の板状部３１と、第一の板状部３１の前面３１aに前側に向けて先端部３４を尖らせた形状に形成した突条部３２とを備えている。
【００１７】
突条部３２は、後述する図２に示すように、平面視略八角形状の第二の板状部１０３において、周方向に互いに対向する左右側縁部（平面視略台形状の部分）１０４，１０５を前側に折り曲げて各側縁部１０４，１０５の端部同士を互いに当接し固定することによって形成される。第二の板状部１０３は、エッジ取付部１の折り曲げ部１１に一体に形成された第一の連結部１０６と、磁気回路取付部２の折り曲げ部２３に一体に形成された第二の連結部１０７とを有し、この第二の板状部１０３の周方向に互いに対向する左右側縁部１０４，１０５が前側に向けて折り曲げられることによって、第一の板状部３１及び第一の板状部３１の前面３１aに突条部３２が形成される。そして、第一の板状部３１と突条部３２とによって空洞３３が形成される。また、このようにして構成される脚部３は、その長手方向に対して垂直な面で切断した断面が略三角形状をなしている。形成された空洞３３内には、図示しないが例えば、発泡ゴム系、発泡ウレタン、合成ゴム等の弾力性を有する弾性部材を挿入することが好ましい。このような弾性部材を挿入することによって、スピーカ用フレーム１００の共振を低減することができる。また、空洞３３内に挿入する弾性部材の種類を適宜変えることで音質が変化して音作りの手法を広げることができる。
【００１８】
ここで、突条部３２の形成方法について図２〜図４を参照して具体的に説明する。
図２〜図４は、突条部３２の形成手順を示したスピーカ用フレーム１００の斜視図であり、図２及び図３はスピーカ用フレーム１００を後ろ側から見た場合で、図４はスピーカ用フレーム１００を前側から見た場合を示している。
まず、図２に示すように、予め金属板を所定形状に成形したフレーム本体１０１に、プレス成形によって、周方向に複数の穴１０２，１０２、…を所定間隔で打ち抜くことによってエッジ取付部１及び磁気回路取付部２との間に、平面視略八角形状の第二の板状部１０３を形成する。
次いで、図３に示すように、形成された第二の板状部１０３において、第二の板状部１０３の左右側縁部１０４，１０５を前側に折り曲げ加工し易いように穴加工を施す。詳細には、第二の板状部１０３のうち、エッジ取付部１に連結される第一の連結部１０６と、磁気回路取付部２に連結される第二の連結部１０７とにおいて、第一の連結部１０６の一端部と、これに対向する第二の連結部１０７の一端部とが同一直線上に配置されるように所定間隔に複数の穴１０８，１０８、…を形成する。同様に、第一の連結部１０６の他端部と、これに対向する第二の連結部１０７の他端部とが同一直線上に配置されるように所定間隔に複数の穴１０９，１０９、…を形成する。
次いで、図４に示すように、穴加工が施された第二の板状部１０３において、左右両側縁部１０４，１０５を直線上に配置された複数の穴１０８，１０８、…、１０９，１０９、…に沿ってそれぞれ前側に折り曲げる。
最後に、折り曲げた左右側縁部１０４，１０５の各端部１０４a，１０５a同士を当接させて固定する。なお、固定手段としては、接着剤等によって接着固定しても良いし、各側縁部１０４，１０５の端部１０４a，１０５a同士を互いにかしめることによって固定しても良い。以上のようにして、左右側縁部１０４，１０５の各端部１０４a，１０５a同士の当接部分（先端部３４）が前側に尖った形状の突条部３２となる。
【００１９】
以上、本発明の実施の形態によれば、脚部３は、エッジ取付部１と磁気回路取付部２との架設方向（すなわち、脚部３の長手方向）に対して垂直な面で切断した際の切断面において、先端部が前側に突出しているので、従来のように脚部の振動板側の面が平面である場合に比して、スピーカ動作時における空気抵抗を減らすことができる。その結果、音質上の歪みを低減して高品質な音質とすることができる。
また、平面視八角形状の第二の板状部１０３の周方向に互いに対向する左右側縁部１０４，１０５を前側に折り曲げて互いに当接固定することによって脚部３が形成されるので、脚部３を容易に形成することができる。
さらに、第二の板状部１０３に、左右側縁部１０４，１０５を前側に折り曲げ自在とする複数の穴１０８，１０８、…、１０９，１０９、…が折り曲げ方向に沿って形成されているので、左右側縁部１０４，１０５を容易に折り曲げることができる。
【００２０】
なお、本発明は上記実施の形態に限定されるものではなく、その要旨を逸脱しない範囲で適宜変更可能である。
例えば、上記実施の形態における脚部３は、その長手方向に対して垂直な面で切断した断面が三角形状であるとしたが、三角形状に限らず、図５に示すように切断面が半円形状の脚部３Ａとしても良い。このような脚部３Ａの突条部３２Ａは、折り曲げた時に切断面が半円形状となるように、金属板からなるフレーム板に所望形状の複数の穴を打ち抜いて、形成された第二の板状部の左右側縁部を前側に折り曲げることによって形成することができる。また、図５において、図１と同様の構成部分については同様の数字に英字を付してその説明を省略する。
【００２１】
さらに、上記実施の形態における脚部３は内部に空洞３３を有するとしたが、空洞３３を有さないように柱状に形成しても良い。また、脚部３の個数は上述したものに限らず、適宜変更可能である。
【図面の簡単な説明】
【００２２】
【図１】スピーカ用フレーム１００を前側から見た際の斜視図である。
【図２】突条部３２の形成手順を示したスピーカ用フレーム１００の後ろ側から見た際の斜視図である。
【図３】突条部３２の形成手順を示したスピーカ用フレーム１００の後ろ側から見た場の斜視図である。
【図４】突条部３２の形成手順を示したスピーカ用フレーム１００の前側から見た際の斜視図である。
【図５】変形例のスピーカ用フレーム１００Ａを前側から見た際の斜視図である。
【図６】スピーカ用フレーム４００を前側から見た際の斜視図である。
【図７】スピーカ用フレーム４００を後ろ側から見た際の斜視図である。
【符号の説明】
【００２３】
１，１Ａ  エッジ取付部
２，２Ａ  磁気回路取付部
３，３Ａ  脚部
３３，３３Ａ  空洞
１００，１００Ａ  スピーカ用フレーム
１０３  第二の板状部
１０４，１０５  側縁部
１０８，１０９  穴
【図１】
2008289076.tif 000003
【図２】
2008289076.tif 000004
【図３】
2008289076.tif 000005
【図４】
2008289076.tif 000006
【図５】
2008289076.tif 000007
【図６】
2008289076.tif 000008
【図７】
2008289076.tif 000009